(57)【要約】【課題】前後、左右および、水平に回転する揺れを小さい力、あるいは小さい動力にて得られる如くした自在に回転する椅子。【解決手段】外面が完全な半球状となり、内面に座るための回転バケット１を複数の自在に回転する自在ローラー部８を外面に接する如く支持すると共に、回転バケット１の底部にバケット連結棒部２０を結合し、これとネジ係合するスクリューネジ棒２１を有する傾斜機構部２６を装置しているバケット受６とにより構成され、モーターＡ、２５を回転することにより回転バケット１に揺れを生じさせる。【選択図】　　　　　　図６
2004016299.tif 000002
【特許請求の範囲】
【請求項１】
外面が完全な半球形状となる球面を有する回転バケットを、自在ローラー部を適当数配置して取り付けてなるバケット受により支持し、あらゆる方向の自在な揺れを生じさせる自在に回転する椅子。
【請求項２】
回転バケットの前面には足載台、後面には背もたれを、回転バケットとピン結合させて装着し、且つ、これら足載台、背もたれを回転バケットの内側に折り込める如くした請求項１記載の自在に回転する椅子。
【請求項３】
回転バケットの底部にバケット連結棒部を結合させ、これに装置した自在ナットとネジ係合しているスクリューネジ棒と、さらに回転係合しているモーターＡよりなる傾斜機構部をバケット受に装置してなる請求項１または２記載の自在に回転する椅子。
【請求項４】
傾斜機構部を回転台の上に装置し、バケット受に回転するように係合させ、この回転台をモーターＢにより回転可能とする構造の請求項３記載の自在に回転する椅子。
【請求項５】
回転バケットの底部に結合しているバケット連結棒部を着脱自在となるよう回転バケット側に十字窪み、バケット連結棒部にはＸ軸突起、Ｙ軸突起を設け、回転バケットの取付方向を自在に結合出来る如くした請求項３または４記載の自在に回転する椅子。
【発明の詳細な説明】
【０００１】
【発明が属する技術分野】
本発明は、自在に前後または左右、ならびに水平回転する快い揺れを生じる椅子に関する。
【０００２】
【従来の技術】
従来の電動式でない物にあっては、前後のみの揺れを生じさせるものや、電動式にあっては、前後のリクライニングと小刻みな振動を生じる椅子やソファーがほとんどである。
【０００３】
【発明が解決しようとする課題】
電動式でない椅子においては、体の体重を少し移動させるだけで移動した方向の揺れを生じさせ、快適な揺れを得ることと、電動式の椅子にあっては、体重の移動を必要とすることなく、セットした方向の揺れ、すなわち前後あるいは左右、あるいは回転する快適で癒される揺れが得られる回転椅子を比較的安価に得ることを目的とするものである。
【０００４】
【課題を解決するための手段】
上記目的を達成するために、本発明の自在に回転する椅子は、半球の断面形状をもつ回転バケットを複数個の自在ローラー部が半球状に位置されて取り付けられているバケット受が支持している為、自在ローラー部は自在に回転するローラーにより、回転バケットはわずかな力を加えることにより、あらゆる方向に回転するので、座った人がわずかに体重を移動することにより、揺れが生じるものである。
【０００５】
回転バケットには背面に背もたれ、前面に足載台を、又左右には肘掛を形成し、内部にクッションを装着すれば、さらに快適な座り心地を得ることができる。
【０００６】
回転バケットに人が座った時、回転バケットは水平にならないと疲れるので、座った時に重心が中心になるように足載台、背もたれの角度や形状、あるいは回転バケットの底に錘を付ける等の方法を取ることが出来る。
【０００７】
背もたれ、足載台を装着した椅子は、場所をとり、使用しない時、邪魔になるので、背もたれ、足載台を回転バケットの内側に折り込める構造とすることにより、面積を少なくすることも出来る。
【０００８】
さらに心地よい椅子とするには、回転バケットの下面底部にバケット連結棒部を装置し、これを傾斜機構部に装置したモーターＡにより、電動で前後に移動、ならび揺れを与えることが出来る。
【０００９】
回転バケットに前後の揺れの他に水平の回転を得る為、前記の傾斜機構部を円形の回転台の上に装置し、これをモーターＢにより回転することにより、回転バケットは、水平の回転を生じ、なおかつ前記したモーターＡにより前後の揺れを単独あるいは同時に与えることが出来、ゆっくりとした複雑の動きが得られる。
【００１０】
座った人に心地よい気分を与えるには、回転バケットは、ゆっくりとした揺れでよく、回転角度もある角度内でよく、このことは回転バケットの回転による惰性の力によるモーター、歯車等に無理な力を与えない。
【００１１】
傾斜機構部の前後の揺れを人の好みにより左右の揺れにするには、回転バケットの底部のバケット連結棒部を自在に係合させ、９０度方向に回転バケットとバケット連結棒部の結合を予め選定し、セットすることにより実現することも可能である。
【００１２】
電動式の回転バケットにあっては、揺れを操作する操作スイッチは、バケット受の内部に設けた制御箱から操作ケーブルを引き出し、操作スイッチは、回転バケットの肘掛等にぶらさげても良いし、制御箱にアンテナを取り付け、無線により操作スイッチを操作しても良い。
【００１３】
【発明の実施の形態】
自在で心地よい揺れを生じさせる為に、回転バケットとバケット受の係合を複数の自在ローラー部で行い、手動式と電動式のどちらも可能とする構造を出来る限り軽量な回転椅子を実現した。
【００１４】
【実施例】
図１は、平面図で、回転バケット１は、半円形をなし、前方には足載台２、後方には、背もたれ３、左右には、肘掛４が固定され、周囲は、保護カバー部５により成り立っている。
【００１５】
図２は、最も基本的な一実施例の構造の断面を示し、回転バケット１の外側は、完全な半円形の面を有しており、他方バケット受６は、底部が座７となっており、内部は半円形をなし、複数個の自在ローラー部８が回転バケット１の外側に接するごとく配置されている。
【００１６】
図３は、一実施例の自在ローラー部８の構造を示すもので、自在に回転するように、ローラー受９の内側は、半球状をなし、複数の窪み１０を有し、これにボール球１１を埋め込み、このボール球１１を介してローラー１２が係合し、カバー１３によりカバーされ、取付穴１４が施されている。
【００１７】
図４は、一実施例の折りたたみ構造の回転バケット１を示すもので、足載台２は、回転バケット１に結合したピン受Ａ、１５にピンＡ、１６で係合され、さらに足台１７も足載台２とピン結合しており、他方、背もたれ３も同様にピン受Ｂ、１８、およびピンＢ、１９により結合されている。
【００１８】
図５は、足載台２と背もたれ３を回転バケット１の内側に折り込んである状態を示すものである。
【００１９】
図６は、回転バケット１が左右に揺れる構造の一実施例を示すもので、回転バケット１の底部にはバケット連結棒部２０が装置され、これと係合してスクリューネジ棒２１がスクリューネジ棒受２２に回転するように係合され、スクリューネジ棒２１の一端には歯車Ａ、２３が結合され、さらに歯車Ｂ、２４とかみ合い、歯車Ｂ、２４は、モーターＡ、２５に連結され、これらは傾斜機構部２６となって、バケット受６に取り付けられている。
【００２０】
図７は、バケット連結棒部２０と傾斜機構部２６の詳細を示すもので、回転バケット１と結合されたスライド片２７は、中央にスライド溝２８が施され、これに自在に係合する自在ナット２９がスクリューネジ棒２１とネジ係合されており、モーターＡ、２５を回転させることにより歯車Ａ、２３、歯車Ｂ、２４を介してスクリューネジ棒２１を回転させるが、この時、自在ナット２９は動きがスライド片２７に拘束されるので、スライド片２７が左右に移動し、回転バケット１に揺れを伝達することが出来、停止にはリミットスイッチＡ、３０で行えるようになっている。
【００２１】
図８は、自在ナット２９がスライド片２７と自在に係合する状態を示し、自在ナット２９はスライド片２７に挟まれるように係合し、その両端は、ピン３１が結合され、ピン３１はスライド片２７に施されたスライド溝２８に上下に移動出来るよう又、任意の角度になるように自在係合されている。
【００２２】
図９は、スクリューネジ棒２１とバケット連結棒部２０の動作を示すもので、自在ナット２９は、はじめ２９ａの位置にあり、スクリューネジ棒２１を回転すると自在ナット２９は、２９ｂの位置に回転バケット１を移動させるが、自在ナット２９はバケット連結棒部２０のスライド溝２８内でスライドし、なお且つピン３１により水平を保ち、回転バケット１に無理な力を加えることなく回転させ、さらに、スクリューネジ棒２１を反対方向に回すと、自在ナット２９は２９ｃの位置に来る。
【００２３】
図１０は、回転バケット１に揺れと回転の揺れを単独あるいは同時に生じさせる一実施例を示すもので、傾斜機構部２６は、全体を回転台３２に搭載し、回転台３２は、下部中心に回転軸３３が突起し、これをバケット受６に固定した軸受３４に係合し、さらに外周部には回転リング３５により傾斜しないように支えられ、又軸受３４より外れないよう回転台受３６が取り付けられている。
【００２４】
回転台３２の外側は、歯車Ｃ、３７が施され、これに歯車Ｄ、３８が係合し、さらに歯車Ｄ、３８はモーターＢ、３９に係合し、モーターＢ、３９を回すと歯車Ｄ、３８と歯車Ｃ、３７を介して回転台３２が回転し、これに係合しているスクリューネジ棒２１が水平に回転し、さらにバケット連結棒部２０を介して回転バケット１を回転させることが出来ると共に、回転台３２の下部に絶縁板４０を接着し、この絶縁板４０には円形のトロリー線４１が２本埋め込まれ、これに機械的には自在に、電気的には接続された集電片４２によって端子台４３よりモーターＡ、２５に電源を供給する。
【００２５】
回転台３２はその回転が一周動くことは必要ないので回転台受３６に取り付けられたリミットスイッチＢ、４４により動作範囲を限定し、これらの制御は制御箱４５にて行い、この制御箱４５の操作スイッチは、アンテナ４６により無線で行うか、リード線を外部にだすかの方法があり、これらのメンテナンスはバケット受６に設けた点検口４７により組み立等の作業も行えるようにしてある。
【００２６】
図１１は、回転バケット１の揺れを前後でなく、左右に生じさせるよう、バケット連結棒部２０は回転バケット１に設けた十字窪み４８とＸ軸突起４９、Ｙ軸突起５０により係合し、とびださないよう押さえ板５１で固定し、この上に底部クッション５２を装着したものである。
【００２７】
図１２は、押さえ板５１を取り外した状態を示し、取外し穴５３より指をいれ、Ｙ軸突起５０を持ち上げ、回転バケット１を９０度回転させ、Ｙ軸突起５０を押し込み、揺れを９０度変更できるようにしたもので、バケット連結棒部２０は、自身に設けたスライド溝２８があるので引き出すことは可能である。
【００２８】
【発明の効果】
本発明は、以上説明したように構成されるので以下に記載されるような効果を奏する。
【００２９】
回転バケットはバケット受に複数の自在ローラー部により係合しているので、摩擦係数が小さく、僅かな力で回転バケットを左右、前後に回転を与え、快適な揺れを生じさせることが出来る。
【００３０】
小さい力で揺れを生じさせることが出来るので、電動式にした場合であっても、操作機構は軽量にすることが出来る為、安価に製作することが可能である。
【００３１】
足載台と背もたれは、回転バケットに折り込む構造に出来るので、使用しない場合は、場所を取らず、又上部に物を載せることも出来る。
【００３２】
回転バケットの揺れは、さまざまなパターンを得ることが出来、マイコン等にインプットすればさらに快適な揺れを得ることが可能である。
【００３３】
回転バケット内にバイブレーターをセットすることも可能であり、マッサージ機能をもたせることも出来る。
【図面の簡単な説明】
【図１】回転バケットの平面図である。
【図２】回転バケットとバケット受の一実施例を示す部分断面図である。
【図３】自在ローラー部の断面図である。
【図４】回転バケットに足載台、背もたれを自在に装着した部分断面図である。
【図５】回転バケットに足載台、背もたれを折り込んだ部分断面図である。
【図６】傾斜機構部を装置した部分断面図である。
【図７】傾斜機構部の部分断面図である。
【図８】バケット連結棒部の部分断面図である。
【図９】回転バケットの揺れの説明図である。
【図１０】傾斜機構部を回転台に取り付けた部分断面図である。
【図１１】バケット連結棒部の一実施例を示すの部分断面図である。
【図１２】バケット連結棒部のセットを示す説明図である。
符号の説明
１　　回転バケット
２　　足載台
３　　背もたれ
４　　肘掛
６　　バケット受
８　　自在ローラー部
１０　窪み
１２　ローラー
２０　バケット連結棒部
２１　スクリューネジ棒
２５　モーターＡ
２６　傾斜機構部
２９　自在ナット
３２　回転台
３９　モーターＢ
４５　制御箱
４６　アンテナ
４８　十字窪み
４９　Ｘ軸突起
５０　Ｙ軸突起
【図１】
2004016299.tif 000003
【図２】
2004016299.tif 000004
【図３】
2004016299.tif 000005
【図４】
2004016299.tif 000006
【図５】
2004016299.tif 000007
【図６】
2004016299.tif 000008
【図７】
2004016299.tif 000009
【図８】
2004016299.tif 000010
【図９】
2004016299.tif 000011
【図１０】
2004016299.tif 000012
【図１１】
2004016299.tif 000013
【図１２】
2004016299.tif 000014